(57)【要約】【課題】伝熱管の端部開口部に発生する水膜に起因して伝熱管からの水抜き作業が困難になることを、簡易な手段によって適切に解消することが可能な熱交換器、およびこれを備えた給湯装置を提供する。【解決手段】熱交換器ＨＥは、ヘッダＨのチャンバ４８内に配された排水用部材３を備えており、この排水用部材３は、各伝熱管２の端部開口部２０の外側に位置する第１の部分３１と、この第１の部分３１に繋がって設けられ、かつ端部開口部２０内に存在する水を第１の部分３１に伝わせることが可能に少なくとも一部分が端部開口部２０に進入している第２の部分３２と、を備えている。【選択図】  図５
2018031495.tif 000002
【特許請求の範囲】
【請求項１】
加熱用気体から熱回収を行なうための複数の伝熱管と、
これら各伝熱管の端部開口部に連通するチャンバを内部に形成しており、かつこのチャンバに対する外部からの入水用または出湯用の開口部を有するヘッダと、
を備えている、熱交換器であって、
前記ヘッダの前記チャンバ内に配された排水用部材を、さらに備えており、
この排水用部材は、前記各伝熱管の端部開口部の外側に位置する第１の部分と、この第１の部分に繋がって設けられ、かつ前記端部開口部内に存在する水を前記第１の部分に伝わせることが可能に少なくとも一部分が前記端部開口部に進入している第２の部分と、を備えていることを特徴とする、熱交換器。
【請求項２】
請求項１に記載の熱交換器であって、
前記第２の部分は、長さおよび幅よりも厚みが小さいプレート片状であり、かつ前記第１の部分は、前記第２の部分の基部に交差する角度で繋がった面を有している、熱交換器。
【請求項３】
請求項１または２に記載の熱交換器であって、
前記ヘッダは、前記各伝熱管の端部に接合されたヘッダ本体部と、このヘッダ本体部に接合されることにより前記ヘッダ本体部との相互間に前記チャンバを形成するヘッダ蓋部材とを備えており、
前記排水用部材は、前記第１の部分が、前記ヘッダ本体部と前記ヘッダ蓋部材との両者間に挟まれていることにより前記ヘッダに固定されている、熱交換器。
【請求項４】
請求項１ないし３のいずれかに記載の熱交換器であって、
前記排水用部材は、前記各伝熱管の端部に接触または接近して配置されるベースプレート部と、このベースプレート部から前記各伝熱管の端部開口部内に向けて突出する複数の凸状部とを有しており、
前記ベースプレート部が、前記第１の部分であり、前記各凸状部が、前記第２の部分である、熱交換器。
【請求項５】
請求項４に記載の熱交換器であって、
前記ベースプレート部には、前記各伝熱管の端部開口部に対向する貫通孔が設けられている、熱交換器。
【請求項６】
請求項５に記載の熱交換器であって、
前記各凸状部は、前記貫通孔の周縁部から屈曲して起立するように前記ベースプレート部に一体形成された切り起こし状である、熱交換器。
【請求項７】
加熱用気体から熱回収を行なうことにより湯水を加熱するための熱交換器を備えている、給湯装置であって、
前記熱交換器として、請求項１ないし６のいずれかに記載の熱交換器が用いられていることを特徴とする、給湯装置。
【発明の詳細な説明】
【技術分野】
【０００１】
本発明は、バーナによって発生させた燃焼ガスなどの加熱用気体から熱回収を行なうための熱交換器、およびこれを備えた給湯装置に関する。
【背景技術】
【０００２】
給湯装置用の熱交換器の具体例として、特許文献１に記載のものがある。
同文献に記載の熱交換器においては、バーナによって発生させた燃焼ガスから熱回収を行なうための複数の伝熱管の両端部に、入水用および出湯用のヘッダがそれぞれ取り付けられている。複数の伝熱管のうち、入水用のヘッダの近傍部分は、下向きに曲げられた曲げ部として形成されている。
このような構成によれば、冬季に各伝熱管内に凍結が生じることを防止することを目的として、各伝熱管から外部に水抜きを行なう場合に、各伝熱管内の水を入水用のヘッダ内に円滑に流れ込ませることが可能である。熱交換器の熱交換効率を高めるべく各伝熱管を小径にすると、水抜き作業を行なう際に、各伝熱管の端部開口部に表面張力に起因して水膜が発生し、これが原因となって水抜きが困難となる虞がある。これに対し、前記した構成によれば、伝熱管の曲げ部に存在する水の水頭圧を利用して前記水膜が発生しないようにし、水抜き作業を適切に行なうことが可能である。
【０００３】
しかしながら、前記従来技術によれば、次に述べるような不具合を生じる場合がある。
すなわち、各伝熱管には前記した水頭圧を生じさせるための曲げ部を形成する必要があるが、スペース的な制約、あるいはその他の仕様条件などの制約に起因し、前記曲げ部を各伝熱管に形成することができない場合がある。このような場合には、水抜き作業時に各伝熱管の端部開口部に水膜が発生することを適切に解消することができず、水抜きが困難となる虞がある。
【先行技術文献】
【特許文献】
【０００４】
【特許文献１】特開２００７−３３３３４３号公報
【発明の概要】
【発明が解決しようとする課題】
【０００５】
本発明は、前記したような事情のもとで考え出されたものであり、伝熱管の端部開口部に発生する水膜に起因して伝熱管からの水抜き作業が困難になることを、簡易な手段によって適切に解消することが可能な熱交換器、およびこれを備えた給湯装置を提供することを、その課題している。
【課題を解決するための手段】
【０００６】
上記の課題を解決するため、本発明では、次の技術的手段を講じている。
【０００７】
本発明の第１の側面により提供される熱交換器は、加熱用気体から熱回収を行なうための複数の伝熱管と、これら各伝熱管の端部開口部に連通するチャンバを内部に形成しており、かつこのチャンバに対する外部からの入水用または出湯用の開口部を有するヘッダと、を備えている、熱交換器であって、前記ヘッダの前記チャンバ内に配された排水用部材を、さらに備えており、この排水用部材は、前記各伝熱管の端部開口部の外側に位置する第１の部分と、この第１の部分に繋がって設けられ、かつ前記端部開口部内に存在する水を前記第１の部分に伝わせることが可能に少なくとも一部分が前記端部開口部に進入している第２の部分と、を備えていることを特徴としている。
【０００８】
このような構成によれば、次のような効果が得られる。
すなわち、各伝熱管から水抜き作業を行なう場合において、各伝熱管の端部開口部内に存在する水を、排水用部材の第２の部分から第１の部分へと伝わらせ、各伝熱管の外部に流出させることが可能である。このため、各伝熱管の端部開口部に水膜を生じないようにし、各伝熱管からの水抜きを適切に行なうことが可能となり、冬季において、各伝熱管に残存する水が凍結するといった不具合を解消することができる。
特許文献１とは異なり、伝熱管の端部に大きな水頭圧を生じさせるための曲げ部を設ける必要はない。また、排水用部材は、ヘッダ内に収容させるため、熱交換器の大型化を招くといった不具合もない。
【０００９】
本発明において、好ましくは、前記第２の部分は、長さおよび幅よりも厚みが小さいプレート片状であり、かつ前記第１の部分は、前記第２の部分の基部に交差する角度で繋がった面を有している。
【００１０】
このような構成によれば、次のような効果が得られる。
すなわち、第２の部分が前記したプレート片状であれば、第２の部分の体積を小さくしつつ、その表面積を大きくすることができる。第２の部分の体積が小さければ、伝熱管の端部開口部の開口面積が第２の部分によって余り狭められないようにすることができる。また、第２の部分の表面積を大きくすれば、伝熱管の端部開口部内の水を第２の部分に伝わせ易くなる。一方、第１の部分が、第２の部分の基部に交差する角度で繋がった面を有していれば、第２の部分の基部から第１の部分に水を伝わり易くすることができる。したがって、水抜き作業時の排水性をより良好なものとすることが可能である。
【００１１】
本発明において、好ましくは、前記ヘッダは、前記各伝熱管の端部に接合されたヘッダ本体部と、このヘッダ本体部に接合されることにより前記ヘッダ本体部との相互間に前記チャンバを形成するヘッダ蓋部材とを備えており、前記排水用部材は、前記第１の部分が、前記ヘッダ本体部と前記ヘッダ蓋部材との両者間に挟まれていることにより前記ヘッダに固定されている。
【００１２】
このような構成によれば、ヘッダ内における排水用部材の位置決め固定を簡易な構成によって合理的に行なうことができる。排水用部材を固定させるための専用部品を不要とすることが可能である。
【００１３】
本発明において、好ましくは、前記排水用部材は、前記各伝熱管の端部に接触または接近して配置されるベースプレート部と、このベースプレート部から前記各伝熱管の端部開口部内に向けて突出する複数の凸状部とを有しており、前記ベースプレート部が、前記第１の部分であり、前記各凸状部が、前記第２の部分である。
【００１４】
このような構成によれば、排水用部材の構成を簡易にしつつ、本発明が意図する作用を適切に得ることかできる。
【００１５】
本発明において、好ましくは、前記ベースプレート部には、前記各伝熱管の端部開口部に対向する貫通孔が設けられている。
【００１６】
このような構成によれば、排水用部材のベースプレート部を伝熱管の端部に接触させ、またはかなり接近させた場合であっても、この端部開口部がベースプレート部によって不当に塞がれた状態、またはこれに近い状態にならないようにし、伝熱管の端部開口部の通水性を適切に確保することができる。
【００１７】
本発明において、好ましくは、前記各凸状部は、前記貫通孔の周縁部から屈曲して起立するように前記ベースプレート部に一体形成された切り起こし状である。
【００１８】
このような構成によれば、排水用部材の製造が容易化され、その製造コストを廉価にすることも可能である。
【００１９】
本発明の第２の側面により提供される給湯装置は、加熱用気体から熱回収を行なうことにより湯水を加熱するための熱交換器を備えている、給湯装置であって、前記熱交換器として、本発明の第１の側面により提供される熱交換器が用いられていることを特徴としている。
【００２０】
このような構成によれば、本発明の第１の側面により提供される熱交換器について述べたのと同様な効果が得られる。
【００２１】
本発明のその他の特徴および利点は、添付図面を参照して以下に行なう発明の実施の形態の説明から、より明らかになるであろう。
【図面の簡単な説明】
【００２２】
【図１】本発明に係る熱交換器の一例を示す斜視図である。
【図２】図１に示す熱交換器の要部分解斜視図である。
【図３】図１のIII−III断面図である。
【図４】図１のIV−IV断面図である。
【図５】（ａ）は、図１のVa−Va断面図であり、（ｂ）は、（ａ）のVb−Vb断面図であり、（ｃ）は、（ａ）のVc−Vc断面図である。
【図６】図２の要部拡大分解斜視図である。
【図７】図６の断面図である。
【図８】（ａ）は、図６に示された排水用部材の矢視VIIIaの正面図であり、（ｂ）は、矢視VIIIbの背面図であり、（ｃ）は、（ｂ）のVIIIc−VIIIc断面図である。
【図９】図１に示す熱交換器を備えた給湯装置の一例を示す斜視図である。
【図１０】本発明の他の例を示す要部断面図である。
【図１１】（ａ）〜（ｃ）は、本発明の他の例を示す要部断面図である。
【発明を実施するための形態】
【００２３】
以下、本発明の好ましい実施の形態について、図面を参照して具体的に説明する。
【００２４】
図１および図２に示す熱交換器ＨＥは、ケース１、このケース１内に収容された複数の伝熱管２、ならびに入水用および出湯用の一対のヘッダＨ，Ｈａを備えている。入水用のヘッダＨの内部には、伝熱管２からの水抜き時に伝熱管２の端部開口部２０に水膜が生じないようにするための排水用部材３が組み込まれている。
【００２５】
図３および図４に示すように、ケース１は、全体が略直方体状であり、加熱用気体としての燃焼ガスをケース１内に流入させるための給気口１１が後壁部１０ａに設けられている。また、伝熱管２による熱回収後の燃焼ガス（排ガス）をケース１の外部に排出するための排気口１２が前壁部１０ｂに設けられている。各伝熱管２は、たとえば平面視蛇行状であり、ケース１の横幅方向に延びる複数の直状管体部２２と、これら複数の直状管体部２２どうしを繋ぐ略半円弧状の複数の曲状管体部２３とを有している。複数の伝熱管２は、上下高さ方向において隣接するものどうしがケース１の前後方向に適当な寸法だけ位置ずれするようにして上下高さ方向に積層されている。
【００２６】
各伝熱管２の両端部２ａは、ケース１の側壁部１０ｃを貫通し、かつ入水用および出湯
用のヘッダＨ，Ｈａが取り付けられた構成とされている。なお、各伝熱管２は、前下り状に傾斜した状態に設定されている。この傾斜は、各伝熱管２から凍結防止用などの水抜きを行なう場合に、各伝熱管２内の湯水を重力によって入水用のヘッダＨ内に流れさせるのに役立つ。本実施形態の熱交換器ＨＥにおいては、各伝熱管２からの水抜きは、低位置にある入水用のヘッダＨ側から行なわせることとなる。
【００２７】
図２において、入水用および出湯用のヘッダＨ，Ｈａのそれぞれは、ヘッダ本体部４、およびヘッダ蓋部材５を備えている。排水用部材３は、各伝熱管２からの水抜きを適切に行なわせるためのものであるため、既述したように、入水用のヘッダＨには組み込まれているが、出湯用のヘッダＨａには組み込まれていない。出湯用のヘッダＨａのヘッダ本体部４およびヘッダ蓋部材５は、入水用のヘッダＨのそれらと基本的な構成が共通する。
【００２８】
図６および図７によく表われているように、ヘッダ本体部４は、複数の伝熱管２のそれぞれの端部２ａが挿通する複数の孔部４２が設けられた背板部４０と、この背板部４０の外周縁に突設された略長円状または略矩形状の周壁部４１とを有する略カップ状である。ヘッダ蓋部材５は、外部配管接続用の継手管５３が接合され、かつ入水用の開口部５２が設けられた背板部５０と、この背板部５０の外周縁に突設された略長円状または略矩形状の周壁部５１とを有している。ヘッダ本体部４とヘッダ蓋部材５とは、互いに嵌合してロウ付けなどの手段により接合されており、これらの両者間には、各伝熱管２の端部開口部２０に連通するチャンバ４８が形成されている（図５を参照）。ヘッダ本体部４および各伝熱管２の端部２ａも、たとえばロウ付けなどの手段により互いに接合されている。
【００２９】
排水用部材３は、ステンレス製などの薄手の金属板にプレス加工を施して形成されており、ベースプレート部３１、このベースプレート部３１からその片側に突出する複数の凸状部３２、ベースプレート部３１に設けられた複数の貫通孔３０、およびベースプレート部３１の外周縁に突設された複数の位置決め片３３を備えている。複数の凸状部３２および複数の位置決め片３３は、ベースプレート部３１に一体形成されている。ベースプレート部３１は、本発明でいう「第１の部分」の一例に相当し、各凸状部３２は、本発明でいう「第２の部分」の一例に相当する。
【００３０】
ベースプレート部３１は、図５に示すように、ヘッダ本体部４の周壁部４１の内側に嵌入可能な形状およびサイズのプレート状の部分であり、本実施形態においては、伝熱管２の端部２ａ（厳密には、端面２ａ’）に接触するように配される。複数の凸状部３２および貫通孔３０は、複数の伝熱管２の端部２ａに対応した配列で設けられており、各凸状部３２は各伝熱管２の端部開口部２０内に進入し、かつ各貫通孔３０は、各伝熱管２の端部開口部２０に対向するように設定される。各凸状部３２は、各貫通孔３０の周縁部から屈曲して起立しており、ベースプレート部３１にいわゆる切り起こし加工を施すことにより形成されている（図８も参照）。
【００３１】
好ましくは、図５（ａ），（ｃ）に示すように、各凸状部３２は、その長さＬおよび幅Ｗよりも厚みｔが小さいプレート片状とされており、各凸状部３２の体積を小さくしつつ、表面積（水との接触面積）がやや大きめとなるように構成されている。ベースプレート部３１の表裏両面は、各凸状部３２の基部に交差して繋がった面となっている。このような面は、後述するように、伝熱管２内の水抜き時において、伝熱管２の端部開口部２０内の水が各凸状部３２の基部からベースプレート部３１に伝わり易くする効果をもたらせる。
【００３２】
排水用部材３の位置決め固定は、複数の位置決め片３３をヘッダ本体部４およびヘッダ蓋部材５のそれぞれの周壁部４１，５１によって挟み付けることにより図られている。より詳しくは、図５（ａ），（ｃ）に示すように、ヘッダ本体部４の周壁部４１の内周面に
は、各位置決め片３３の屈曲状先端部分を係止させるための段部４３が形成されており、この段部４３とヘッダ蓋部材５の周壁部５１の先端部との両者によって、各位置決め片３３の屈曲状先端部分がクランプされている。
【００３３】
好ましくは、図６および図７に示すように、ヘッダ蓋部材５の周壁部５１の先端部には、複数の位置決め片３３に対向接触させるための小サイズの複数の凸部５４が設けられている。このような複数の凸部５４を設ければ、複数の位置決め片３３のそれぞれをヘッダ蓋部材５によって確実かつ強固に押圧することが可能である。図５（ａ），（ｃ）において、複数の位置決め片３３の基部の外面側は、ヘッダ本体部４の周壁部４１の内周面に当接するように形成されている。このことにより、伝熱管２の軸長方向に対して交差する方向（矢印Ｎ１，Ｎ２の方向）における排水用部材３の位置決めも図られている。排水用部材３は、好ましくは、点対称の形状に形成されている。これは、ヘッダＨ内に排水用部材３を組み込む際に、排水用部材３の上下の向きを間違えて組み込んでしまう虞を無くすのに役立つ。
【００３４】
図９は、前記した熱交換器ＨＥを備えた給湯装置ＷＨの一例を示している。
この給湯装置ＷＨは、燃焼ガスを発生させるバーナ６０、燃焼用空気供給用のファン６１、およびバーナケース６２上に載設され、かつ前記燃焼ガスから顕熱を回収するための１次熱交換器７を備えており、熱交換器ＨＥは、潜熱回収用の２次熱交換器として用いられている。顕熱回収後の燃焼ガスは、補助缶体７９内を経由して熱交換器ＨＥの給気口１１に供給される。加熱対象の湯水は、熱交換器ＨＥの入水用のヘッダＨに供給され、複数の伝熱管２を通過して加熱された後に、出湯用のヘッダＨａから１次熱交換器７の伝熱管７１に供給されてさらに加熱され、その後所定の給湯先に供給される。
【００３５】
１次熱交換器７は、缶体７０内に伝熱管７１が収容された構成であるが、この伝熱管７１は複数のフィン７２に貫通して接合されたフィン付きチューブであり、かつ顕熱回収用であるため、伝熱管７１としては口径が比較的大きいものが用いられている。したがって、１次熱交換器７については、伝熱管７１からの水抜き時に水膜が発生する虞はなく、水抜きが困難になることはない。このため、排水用部材３に相当する部材は、１次熱交換器７には設けられていない。
【００３６】
次に、前記した熱交換器ＨＥおよびこれを備えた給湯装置ＷＨの作用について説明する。
【００３７】
まず、冬季に給湯装置ＷＨを長期間にわたって運転停止するような場合には、熱交換器ＨＥ内の凍結を防止すべく各伝熱管２からの水抜きを行なう（１次熱交換器７の伝熱管７１の水抜きも同時に行なうが、その説明は省略する）。各伝熱管２の水抜きは、入水用のヘッダＨへの給水を停止した状態で、各伝熱管２内の水を入水用のヘッダＨ内に流れ込ませることにより行なう。
【００３８】
伝熱管２の水抜き時において、伝熱管２の端部開口部２０内に存在する水がその表面張力によって水膜になろうとしても、この水は排水用部材３の凸状部３２からベースプレート部３１に伝わり、伝熱管２の外部に流出する。本実施形態では、ベースプレート部３１が伝熱管２の端面２ａ’に接触しているため、凸状部３２の基部からベースプレート部３１に到達した水は、最終的には、貫通孔３０を通過して伝熱管２の外部に排出される。
【００３９】
なお、水に凸状部３２が触れた状態においては、凸状部３２の表面張力（凸状部３２と空気との界面に働く界面張力）は、前記の水を凸状部３２の表面に沿わせて移動させる方向の力として働く。このため、仮に、端部開口部２０内に水膜が発生しようとしても、前記した力がある程度以上に大きければ、この力を利用して水膜の発生を防止する作用を得
ることも可能である（凸状部３２の表面積が大きいほど、および凸状部３２の親水性が高いほど、前記した力を大きくすることが可能である）。さらに、端部開口部２０の水が排水用部材３を連続して伝って流れている状態において、排水用部材３が水膜（水滴サイズ）以上のボリュームの水に濡れた状態にあれば、この水がその表面張力によって端部開口部２０内の水を排水用部材３側に引き込む作用も生じ、このような作用も水膜防止作用を生じさせる。
【００４０】
本実施形態によれば、前記したような作用により、端部開口部２０に水膜が生じないようにし、伝熱管２内に残水が発生することを適切に防止または抑制することができる。その結果、前記残水が凍結し、伝熱管２が破損するといった不具合を解消することが可能である。伝熱管２は、既述したように、水抜きを行なうことを考慮して前下がり状に傾斜した状態に設定されるが、その傾斜角は比較的小さく、水抜き時において伝熱管２の端部２ａ内に作用する水頭圧は低い。このため、伝熱管２の口径を小さくした場合には、本来的に水膜を生じ易いが、本実施形態によれば、そのようなことを適切に解消することが可能である。
【００４１】
凸状部３２は、既述したように、長さＬおよび幅Ｗよりも厚みｔが小さいプレート片状であるため、その体積は小さく、伝熱管２の端部開口部２０を大きく塞ぐ不具合は適切に回避される。その一方、凸状部３２の表面積については、大きくとることができるため、凸状部３２を伝ってベースプレート部３１側に流れようとする水量を多くすることが可能である。このことは、水膜防止効果を高める。また、ベースプレート部３１は、凸状部３２の基部に交差した角度で繋がった面（表裏両面）をもつが、このような構成によれば、凸状部３２の基部に到達した水が前記面に進行し易い。したがって、水抜き性をより良くすることが可能である。
【００４２】
本実施形態においては、水抜き作業を適切に行なうための手段として、排水用部材３をヘッダＨ内に組み込んでいるが、この排水用部材３は、金属板をプレス加工することにより、比較的廉価に製造することが可能である。また、排水用部材３のヘッダＨ内への位置決め固定は、ヘッダ本体部４およびヘッダ蓋部材５によって排水用部材３の位置決め片３３を挟み付けるなどして行なわれているため、その構成は簡易であり、組み立て作業なども容易である。したがって、熱交換器ＨＥの製造コストが大幅に上昇するといった不具合も適切に回避することが可能である。
【００４３】
図１０および図１１は、本発明の他の実施形態を示している。これらの図において、前記実施形態と同一または類似の要素には、前記実施形態と同一の符号を付すこととし、重複説明は省略する。
【００４４】
図１０に示す実施形態においては、排水用部材３のベースプレート部３１が、伝熱管２の端部２ａから離間した状態に設けられている。この離間寸法Ｌａは、好ましくは、端部開口部２０内に水膜が発生したと仮定した場合に、この水膜にベースプレート部３１が接触するように、端部２ａからその外側に水膜が膨出する寸法以下とされる。ただし、端部開口部２０内の水は、凸状部３２の表面張力（凸状部３２と空気との界面に働く界面張力）によってベースプレート部３１側に引き寄せられるため、前記した寸法Ｌａ以上とすることも可能である。
【００４５】
図１１は、伝熱管２と凸状部３２との位置関係の例を示している。同図（ａ），（ｂ）は、凸状部３２が、伝熱管２の端部開口部２０内の下寄りの位置、または上寄りの位置に偏って進入している。同図（ｃ）は、凸状部３２の上下両端が端部開口部２０の内周面に接触している。これらの例から理解されるように、凸状部３２は、端部開口部２０内に様々な態様で進入させることができる。伝熱管２に対して接触、非接触のいずれであるかも
問わない。
図示説明は省略するが、本発明においては、１つの伝熱管２の端部開口部２０内に、凸状部３２またはこれに類する部分を、複数進入させた構成とすることもできる。
【００４６】
本発明は、上述した実施形態の内容に限定されない。本発明に係る熱交換器、および給湯装置の各部の具体的な構成は、本発明の意図する範囲内において種々に設計変更自在である。
【００４７】
排水用部材は、必ずしも全体がプレート状、またはこれに近い形態に形成されていなくてもよく、たとえば帯状部材（第１の部分）の片側に、櫛歯状の複数の凸状部（第２の部分）が突設されたような形態とすることもできる。複数の伝熱管の端部開口部が、たとえば２列で並んでいる場合に、２つの排水用部材を用いることにより、これら２つの排水用部材を２列の端部開口部にそれぞれ個別に対応させて設けるといったことも可能である。本発明でいう排水用部材の第２の部分は、プレート片状とすることが好ましいものの、やはりこれに限定されない。排水用部材に親水処理を施すといった手段を採用することも可能である。
【００４８】
ヘッダは、ケースとは分離したかたちで構成されたものに限らない。たとえば、ケースの側壁部を利用して構成することも可能である。具体例を挙げると、ケースの側壁部に伝熱管の端部を貫通させることにより、この部分をヘッダ本体部とし、かつこのヘッダ本体部にヘッダ蓋部材を接合することにより、ヘッダを構成することが可能である。
【００４９】
伝熱管は、蛇行状の形態のものに限らず、これ以外のたとえば螺旋状、直管状などの形態のものを用いることが可能である。
本発明は、潜熱回収用の熱交換器に限らず、顕熱回収用および潜熱回収用の種別を問うことなく適用することが可能である。また、１つのケース内に１系統の水路を構成する伝熱管を収容させたもの（１缶１水路タイプ）に限らず、１つのケース内に複数系統の水路を構成する複数の伝熱管を収容させたもの（１缶２水路などの１缶複数水路タイプ）として構成することもできる。
加熱用気体は、バーナによって発生させた燃焼ガスに限らず、たとえばコージェネレーションシステムなどから排出される高温の排ガスとすることも可能である。
【符号の説明】
【００５０】
ＨＥ  熱交換器
ＷＨ  給湯装置
Ｈ  ヘッダ
１  ケース
２  伝熱管
２ａ  端部（伝熱管の）
２０  端部開口部（伝熱管の）
３  排水用部材
３０  貫通孔
３１  ベースプレート部（第１の部分）
３２  凸状部（第２の部分）
３３  位置決め片
４  ヘッダ本体部
４８  チャンバ
５  ヘッダ蓋部材
【図１】
2018031495.tif 000003
【図２】
2018031495.tif 000004
【図３】
2018031495.tif 000005
【図４】
2018031495.tif 000006
【図５】
2018031495.tif 000007
【図６】
2018031495.tif 000008
【図７】
2018031495.tif 000009
【図８】
2018031495.tif 000010
【図９】
2018031495.tif 000011
【図１０】
2018031495.tif 000012
【図１１】
2018031495.tif 000013